(57)【要約】【課題】  弾球遊技機において、本体枠の前面を覆って取り付けられ一側部近傍の回動軸の周りで回動し開閉動作する扉枠の該一側部の側の突合せ面をこじ開けることによる不正行為を確実に防止できる不正行為防止構造の提供。【解決手段】  本体枠の前面を覆って取り付けられ一側部近傍の回動軸の周りで回動し開閉動する扉枠の該一側部の側の突き合わせ面をこじ開けることによる不正行為を防止する不正行為防止構造である。本体枠の内側に一側部に沿ったリブを設けるとともに、扉枠の背面に設けられた凸部が扉枠の閉動によりその側部をリブの先端部に近接させる封止構造において、リブの側面に対向するように凸部先端に屈曲部を与え、不正行為によって屈曲部の側面をリブの側面に近接せしめたときに屈曲部及びリブを係合させる係合機構を与えられていることを特徴とする。【選択図】図３
2018038650.tif 000002
【特許請求の範囲】
【請求項１】
本体枠の前面を覆って取り付けられ一側部近傍の回動軸の周りで回動し開閉動する扉枠の該一側部の側の突き合わせ面をこじ開けることによる不正行為を防止する不正行為防止構造であって、
前記本体枠の内側に前記一側部に沿ったリブを設けるとともに、前記扉枠の背面に設けられた凸部が前記扉枠の閉動によりその側部を前記リブの先端部に近接させる封止構造において、前記リブの側面に対向するように前記凸部先端に屈曲部を与え、前記不正行為によって前記屈曲部の側面を前記リブの側面に近接せしめたときに前記屈曲部及び前記リブを係合させる係合機構を与えられていることを特徴とする不正行為防止構造。
【請求項２】
前記係合機構は、前記リブの側面に沿って前記屈曲部を移動させこれらを離間させることを抑止しこじ開けを防止させることを特徴とする請求項１記載の不正行為防止構造。
【請求項３】
前記係合機構は前記リブの側面及び前記屈曲部の側面にそれぞれ前記一側部に沿った第１突条及び第２突条を含み、前記第１突条及び前記第２突条の当接によってこじ開けを防止させることを特徴とする請求項２記載の不正行為防止構造。
【請求項４】
前記第２突条は、前記第１突条よりも前記一側部の側に設けられることを特徴とする請求項３記載の不正行為防止構造。
【請求項５】
互いに係合し得る前記第１突条及び前記第２突条の組を複数備えることを特徴とする請求項３又は４に記載の不正行為防止構造。
【請求項６】
前記リブ及び前記屈曲部は金属材料からなることを特徴とする請求項１乃至５のうちの１つに記載の不正行為防止構造。
【請求項７】
前記金属材料はアルミニウム又はアルミニウム合金であることを特徴とする請求項６記載の不正行為防止構造。
【発明の詳細な説明】
【技術分野】
【０００１】
本発明は、弾球遊技機の不正行為を防止する不正行為防止構造に関し、特に、本体枠の前面を覆って取り付けられ一側部近傍の回動軸の周りで回動し開閉動する扉枠の該一側部の側の突き合わせ面をこじ開けることによる不正行為を防止する不正行為防止構造に関する。
【背景技術】
【０００２】
弾球遊技機では、一般的に、島設備に固定される外枠に本体枠を保持させ、さらに本体枠の前面を覆って扉枠を取り付けてなる。扉枠は、本体枠に対して開閉可能とするように、左側の側部近傍に回動軸を有するヒンジによって回動可能に保持されている。この回動軸は、扉枠に設けられるランプ等の装飾体の厚みを考慮して扉枠に対して前方にオフセットされた位置に設けられる。これにより、扉枠の開閉に伴って装飾体が台間サンドなどの側方の島設備に干渉することを避けられるのである。そのため、回動軸の後方において本体枠と扉枠との間で前後に突き合わされる面の間には、扉枠の開閉動作を阻害しないように隙間が設けられている。
【０００３】
ところが、この回動軸付近の隙間に側方からバールやドライバーなどの工具の先端を押し込んで、かかる隙間を押し広げるようにこじ開けた上で、ピアノ線等を遊技機内部に差し込んで釘を曲げる不正行為があるとされている。そのため、このようなこじ開けによる不正行為を防止する構造が提案されている。
【０００４】
例えば、特許文献１では、本体枠（筐体枠）及び扉枠（装飾枠）の間のこじ開けを防止する構造として、本体枠に突出片を備え、扉枠に係合片を備える不正行為防止構造を開示している。突出片は左側の回動軸近傍において右方向に突出し、係合片は扉枠を閉じたときに突出片の後方に位置するよう左方向に突出している。これによって、扉枠をこじ開けようとしても、突出片に係合片が当接して扉枠の前方への移動を阻止するとしている。
【０００５】
これに対して、特許文献２では、本体枠（筐体側）及び扉枠（前扉側）の間のこじ開けを防止する構造として、こじ開けに対して２か所を係止させる構造を開示している。本体枠に固定される固定部材と、扉枠に取り付けられる可動部材とを含むヒンジにおいて、固定部材は上下に延在する取付板を含み、かかる取付板の前方縁部に水平断面を右側の開放したコ字状とする第１断面コ字状部を備える。また、取付板の側方には補強部材が固定されており、かかる補強部材の先端を屈曲させて水平断面を後方の開口したコ字状とする第２断面コ字状部を備える。一方、可動部材には、扉枠をこじ開けようとしたときに第１断面コ字状部に係止されるよう後方に延びて左側に屈曲した断面Ｌ形部を備えるとともに、第２断面コ字状部に係合するよう手前側の開口した第３断面コ字状部を備える。すなわち、前面枠をこじ開けようと手前に移動させると、右側に開口する第１断面コ字状部の後方から断面Ｌ形部の屈曲した端部が当接し、後方に開口する第２断面コ字状部の凹部に後方から手前側の開口した第３断面コ字状部の先端の凸部が進入して係合する。これにより、こじ開けによる不正行為を防止できるとしている。
【先行技術文献】
【特許文献】
【０００６】
【特許文献１】特開２００８−１７３３０５号公報
【特許文献２】特開２０１４−１１３２４４号公報
【発明の概要】
【発明が解決しようとする課題】
【０００７】
上記したように、本体枠と扉枠との間をこじ開ける不正行為を防止する不正行為防止構造が必要とされており、こじ開け自体を難しくする方法や、わずかにこじ開けられて隙間が出来たとしてもピアノ線等の異物の侵入を困難にしておく方法など、いくつかが提案されている。
【０００８】
本発明は、以上のような状況に鑑みてなされたものであって、その目的とするところは、弾球遊技機において、本体枠の前面を覆って取り付けられ一側部近傍の回動軸の周りで回動し開閉動作する扉枠の該一側部の側の突合せ面をこじ開けることによる不正行為を確実に防止できる不正行為防止構造を提供することにある。
【課題を解決するための手段】
【０００９】
本発明による不正行為防止構造は、本体枠の前面を覆って取り付けられ一側部近傍の回動軸の周りで回動し開閉動する扉枠の該一側部の側の突き合わせ面をこじ開けることによる不正行為を防止する不正行為防止構造であって、前記本体枠の内側に前記一側部に沿ったリブを設けるとともに、前記扉枠の背面に設けられた凸部が前記扉枠の閉動によりその側部を前記リブの先端部に近接させる封止構造において、前記リブの側面に対向するように前記凸部先端に屈曲部を与え、前記不正行為によって前記屈曲部の側面を前記リブの側面に近接せしめたときに前記屈曲部及び前記リブを係合させる係合機構を与えられていることを特徴とする。
【００１０】
かかる発明によれば、扉枠のこじ開けによる不正行為によって近接したリブ及び屈曲部の側面同士を係合させることでピアノ線等の侵入を不可能とし、扉枠のこじ開けによる不正行為を確実に防止できる。
【００１１】
上記した発明において、前記係合機構は、前記リブの側面に沿って前記屈曲部を移動させこれらを離間させることを抑止しこじ開けを防止させることを特徴としてもよい。かかる発明によれば、こじ開けによってもリブの側面に沿って屈曲部を移動させて離間させることを抑制でき、ワイヤー等の侵入を不可能とし、扉枠のこじ開けによる不正行為を確実に防止できる。
【００１２】
上記した発明において、前記係合機構は前記リブの側面及び前記屈曲部の側面にそれぞれ前記一側部に沿った第１突条及び第２突条を含み、前記第１突条及び前記第２突条の当接によってこじ開けを防止させることを特徴としてもよい。かかる発明によれば、第１突条及び第２突条の当接によってリブ及び屈曲部の対向する側面同士を水平方向にスライド不能に係合させて、ワイヤー等の侵入を不可能とし、扉枠のこじ開けによる不正行為を確実に防止できる。
【００１３】
上記した発明において、前記第２突条は、前記第１突条よりも前記一側部の側に設けられることを特徴としてもよい。かかる発明によれば、こじ開けにおいて凸部を押されて一側部側と反対側に移動する扉枠の屈曲部に備えられる第２突条を第１突条に確実に係合させて、扉枠のこじ開けによる不正行為を確実に防止できる。
【００１４】
上記した発明において、互いに係合し得る前記第１突条及び前記第２突条の組を複数備えることを特徴としてもよい。かかる発明によれば、リブの側面と屈曲部の側面とを確実に突条によって係合させて、かかる側面同士の隙間をより確実に封じ、扉枠のこじ開けによる不正行為を確実に防止できる。
【００１５】
上記した発明において、前記リブ及び前記屈曲部は金属材料からなることを特徴としてもよい。かかる発明によれば、リブ及び屈曲部を強固に係合させ得て、扉枠のこじ開けによる不正行為を確実に防止できる。
【００１６】
上記した発明において、前記金属材料はアルミニウム又はアルミニウム合金であることを特徴としてもよい。かかる発明によれば、大きなこじ開けに対しても金属材料の延性により係合を維持できて、扉枠のこじ開けによる不正行為を確実に防止できる。
【図面の簡単な説明】
【００１７】
【図１】弾球遊技機の正面図である。
【図２】弾球遊技機の上面図である。
【図３】本発明による１つの実施例における不正行為防止構造の要部の上断面図である。
【図４】本発明による１つの実施例における不正行為防止構造の要部の上断面図である。
【図５】本発明による１つの実施例における不正行為防止構造の要部の上断面図である。
【図６】本発明による１つの実施例における不正行為防止構造の要部の上断面図である。
【発明を実施するための形態】
【００１８】
本発明による１つの実施例としての不正行為防止構造について、図１乃至４を用いて説明する。
【００１９】
図１及び図２に示すように、不正行為防止構造を有する遊技機１は、図示しない遊技場内の島設備に設置される外枠２と、外枠２に対して開閉自在に取り付けられた本体枠５と、本体枠５に対し開閉自在に取り付けられた開口３ａを有する扉枠３とを有する弾球遊技機である。扉枠３には、さらに、開口３ａを閉塞する透明板６と、遊技球を発射させるために操作されるハンドル７と、遊技球を貯留する上皿８と、下皿９とが取り付けられている。なお、以降において方向を示す場合、図示するように遊技機１に正対する遊技者から見た方向を用いる。
【００２０】
本体枠５の内側には、扉枠３に嵌めこまれた透明板６との間に遊技領域１９を形成する遊技盤１０が固定され、センター役物１２、スタートチャッカー１３やアタッカー１４などの入賞口、その他図示しない入賞口、釘や役物などが設けられている。センター役物１２には、例えば液晶表示装置が備えられる。扉枠３には、透明板６の周囲の手前側にせり出すように装飾体４が設けられ、内蔵する照明やスピーカなどで遊技の進行に合わせて演出を行い得る。
【００２１】
図１及び図２に図３を併せて参照すると、扉枠３は、本体枠５の左側部に固定される柱状部材５０の上下に設けられたヒンジ１１によってピン１１ａを中心として回動可能に軸支される。すなわち、上下のヒンジ１１に取り付けられるピン１１ａによって扉枠３の側部に固定される上下に延びる支持部材３０が回動可能にその上下端部を軸支されている。
【００２２】
図３及び図４に示すように、本体枠５の左側の側部に沿って上下に延びる柱状部材５０は、これに沿って上下に延在する板状のリブ５１を右方向に突出させるようにして備える。リブ５１の奥側のリブ側面５５は、リブ５１に沿って上下に延在する２つの突条５２ａ及び５２ｂを備える。柱状部材５０はまた、その奥側において右側に遊技盤１０を備える。
【００２３】
また、扉枠３に固定される支持部材３０は、これに沿って上下に延びる略平板状の凸部３１を奥方向へ突出されるようにして備える。さらに、凸部３１の先端から屈曲して上下に延びる略平板状の屈曲部３２を左側に向けて突出させるようにして備える。屈曲部３２の手前側の屈曲部側面３５には、屈曲部３２に沿って上下に延びる２つの突条３２ａ及び３２ｂを備える。
【００２４】
扉枠３を本体枠５に対して閉じた状態において、屈曲部側面３５の突条３２ａはリブ側面５５の突条５２ａよりも左側、つまり本体枠５の左側部の側に位置し、同様に屈曲部側面３５の突条３２ｂもリブ側面５５の突条５２ｂよりも左側に位置している。
【００２５】
支持部材３０には、扉枠３の一部を成すようその手前側に上下に延在する閉塞部材３６が固定される。閉塞部材３６は、扉枠３を本体枠５に対して閉じた状態において、柱状部材５０の手前側の端部５６の前面側を覆うとともに、端部５６の右側の側面に当接する屈曲形状を有している。
【００２６】
図３に図５を併せて参照すると、扉枠３を本体枠５に対して開けるように、柱状部材５０の手前側に位置するピン１１ａによる回動軸の周りに回動させると、ピン１１ａの奥側の支持部材３０は回動軸周りの円周上を右方向に移動する。そのため、扉枠３と本体枠５との部材において、回動軸の奥側で前後（手間−奥）に対向するような平面同士は前後に隙間を備え、扉枠３の開閉動において互いに干渉しないようにされる。例えば、前後に対向するリブ側面５５と屈曲部側面３５との間や、柱状部材５０の手前側の端部５６と閉塞部材３６の左側端部近傍との間などに隙間が設けられる。
【００２７】
また、扉枠３の閉動において、凸部３１は、その左側の側部をリブ５１の先端部に近接させて、本体枠５との間の隙間を左右方向に減じて封止させる構造となっている。
【００２８】
次に、不正行為防止構造を有する遊技機１において、本体枠５と扉枠３との間をこじ開ける不正行為をしようとした場合の不正行為防止構造の機能について、図６を用いて説明する。
【００２９】
図６を参照すると、本体枠５と扉枠３との間には、上記したように柱状部材５０の手前側端部５６と閉塞部材３６の左側端部近傍との前後に突き合わせられる面同士の間に、扉枠３の開閉動を阻害しないための隙間が設けられている。不正行為においては、このような本体枠５と扉枠３との間の側方の隙間からドライバーやバールなどの工具Ｔを挿入し、扉枠３を本体枠５に対して手前側に移動させるようにこじ開けようとする。
【００３０】
このとき、側方から挿入された工具Ｔの持ち手側の端部は、左側の台間サンドなどの島設備に干渉しないよう、手前側に引かれることになる。そのため、扉枠３の閉塞部材３６は、工具Ｔによって手前側に引かれるとともに右側にも押される。閉塞部材３６を固定する支持部材３０もこれに合わせて手前側且つ右側へ移動させられる（図中矢印参照）。なお、閉塞部材３６は、柱状部材５０の手前側の端部５６の手前側を覆うとともに、端部５６の右側の側面に当接する屈曲形状を有しているため、これによっても右側へ移動しやすい。
【００３１】
支持部材３０の移動に伴って、屈曲部３２は柱状部材５０のリブ５１に近接する。つまり屈曲部側面３５が手前側に引っ張られて移動する。さらに、上記したように支持部材３０は右側へも移動するから、屈曲部側面３５の突条３２ａは、リブ側面５５の突条５２ａに左側から当接し、屈曲部３２をこれ以上リブ側面３５に沿って右方向にスライドしないようリブ５１に係合させる。このような係合機構を備え、こじ開けによってリブ側面５５に屈曲部側面３５を近接させたときに、互いの側面を係合させるのである。特に、突条５２ａ及び突条３２ａによってリブ側面５５に対して屈曲部側面３５を水平方向にスライド不能に係合させることができる。つまり、屈曲部３２をリブ５１に対してスライドさせるように移動させてそれぞれを離間させてしまうことを抑制できる。
【００３２】
以上のように、遊技機１の不正行為防止構造によれば、本体枠５及び扉枠３の突合せ面をこじ開けに対して屈曲部側面３５をリブ側面５５に対して係合させることができて、こじ開けによる不正行為を確実に防止できるのである。
【００３３】
また、屈曲部側面３５及びリブ側面５５の突条は互いに係合する組を複数設けていることが好ましい。すなわち、上記したように突条３２ｂ及び突条５２ｂを備えることで、同様に屈曲部側面３５の突条３２ｂもリブ側面５５の突条５２ｂに係合して側面同士の係合をより強固にできる。
【００３４】
なお、リブ５１を含む柱状部材５０及び屈曲部３２を含む支持部材３０はともに金属材料からなると、こじ開けしようとしたときに上記した係合をより強固にできるため好ましい。また、かかる金属材料はアルミニウム又はアルミニウム合金であると、強固に係合できる金属材料の中でも比較的高い延性によって、大きくこじ開けようとしても凸部３１と屈曲部３２との間の角度を大きくするように変形して上記した係合を維持できて好ましい。
【００３５】
ここまで本発明による代表的実施例及びこれに基づく改変例を説明したが、本発明は必ずしもこれに限定されるものではなく、当業者であれば、本発明の主旨又は添付した請求項の範囲を逸脱することなく種々の代替実施例及び改変例を見出すことができるであろう。
【符号の説明】
【００３６】
１    遊技機
３    扉枠
５    本体枠
３０    支持部材
３１    凸部
３２    屈曲部
３５    屈曲部側面
５０    柱状部材
５１    リブ
５５    リブ側面
【図１】
2018038650.tif 000003
【図２】
2018038650.tif 000004
【図３】
2018038650.tif 000005
【図４】
2018038650.tif 000006
【図５】
2018038650.tif 000007
【図６】
2018038650.tif 000008